(57)【要約】【課題】長さの調節可能なシャフトを着脱することにより、１本で使用者の身長差及び傾斜の勾配差に対応可能な、ウォーキング及びトレッキングに好適の伸縮ステッキを提供する。【解決手段】ｎ（ｎ≧２；整数）段のシャフトを有し、このうちｋ（２≦ｋ≦ｎ；整数）段目のシャフトに穿設される小孔と（ｋ−１）段目のシャフトに設けられる係合ピンが係合することで連結される伸縮ステッキであって、（ｋ−１）段目とｋ段目の間に連結される介挿シャフト２と、この介挿シャフト２とｋ段目のシャフトを連結するための接続嵌合体８とを有し、介挿シャフト２は（ｋ−１）段目のシャフトの係合ピンに係合可能な第１の小孔４と，第２の小孔５ａ〜５ｄが穿設され、接続嵌合体８はｋ段目のシャフトに穿設された小孔と係合する第１の係合ピン９と，介挿シャフト２の第２の小孔５ａ〜５ｄに係合する第２の係合ピン１０とを有する。【選択図】図１
0003185265.tif 000002
【実用新案登録請求の範囲】
【請求項１】
中空部とその上部に設けられる嵌合部とを備えるｎ（ｎ≧２；整数）段のシャフトと、１段目の前記シャフトの下方に設けられる石突きと、ｎ段目の前記シャフトの上方に設けられるグリップと、を有し、前記シャフトのうちｋ段目（２≦ｋ≦ｎ；整数）のシャフトには長手方向に沿って少なくとも１つの小孔が穿設されるとともに、前記シャフトのうち（ｋ−１）段目のシャフトにはｋ段目のシャフトの前記小孔に係合する出没可能な係合ピンが前記嵌合部に設けられ、前記（ｋ−１）段目のシャフトの係合ピンと前記ｋ段目のシャフトの小孔が係合することで連結される伸縮ステッキであって、
（ｋ−１）段目とｋ段目の間に連結される介挿シャフトと、この介挿シャフトとｋ段目のシャフトを連結するための接続嵌合体とを有し、
前記介挿シャフトは下部に前記（ｋ−１）段目のシャフトの係合ピンに係合可能な少なくとも１つの第１の小孔と，上部に少なくとも１つの第２の小孔が穿設され、前記接続嵌合体は上部に前記ｋ段目のシャフトに穿設された小孔と係合する第１の係合ピンと下部に前記介挿シャフトの上部に穿設された第２の小孔に係合する第２の係合ピンとを有することを特徴とする伸縮ステッキ。
【請求項２】
少なくとも１つの前記（ｋ−１）段目のシャフトは、その外径が前記ｋ段目のシャフトの内径よりも小さく形成され、前記少なくとも１つの前記（ｋ−１）段目のシャフトは前記ｋ段目のシャフトに内挿されて収容されることを特徴とする請求項１記載の伸縮ステッキ。
【考案の詳細な説明】
【技術分野】
【０００１】
本考案は、複数段のシャフトから成る伸縮ステッキに係り、特に、シャフト同士の間に連結される介挿シャフトと、この介挿シャフトとシャフトを連結するための接続嵌合体を備えた伸縮ステッキに関する。
【背景技術】
【０００２】
従来、平地において歩行をする際には、複数の使用者間の身長差程度に長さの調節が可能なウォーキングステッキが使用されてきた。一方で、これらの使用者の中には、登山やトレッキングに出掛けた際に、このウォーキングステッキを傾斜面で使用する場合が多かった。
しかし、傾斜地を下る場合においては、最大長さに調節してもなお長さが不足し、その結果身体が前のめりとなって転倒の危険性が高くなるという課題があった。そのため、ウォーキングステッキ以上の長さに伸展可能なトレッキングステッキを別途購入し、登山等に出掛ける際にはこれら２本のステッキを持ち歩くことが行われていた。従って、当然のことながら、一方のステッキの所持が負担となり、疲労を招きがちであるという課題があった。そこで、近年、従来よりも長さの調節可能範囲が拡大された伸縮ステッキについて研究や開発が行われており、それに関して既に発明が開示されている。
【０００３】
例えば、特許文献１には、「平地用と登山用を兼ねた伸縮自在ステッキ」という名称で、平地及び急傾斜地において利用可能な伸縮自在ステッキに関する発明が開示されている。
特許文献１に開示された発明は、ステッキ本体と、その上端に取り付けられるグリップと、下端に取り付けられる石突き構造とから成り、ステッキ本体は、直径を異にする複数本のパイプで構成されており、小径のパイプが大径のパイプの中に入れ子状態に収納することで伸縮自在であり、少なくとも２本のパイプの間には、利用者の身長差を吸収するアジャスト長に加えて、下り勾配のために必要な長さのアジャスト長を持つ伸縮機構が備えられており、石突き構造には、着脱自在の石突きに被包された状態で先端が鋭利である金属製スパイクが備えられており、更に、金属製スパイクを被包する石突きを収納する小袋が備えられていることを特徴とする。
このような構造の伸縮自在ステッキにおいては、パイプに沿って小孔が約３ｃ
ｍ間隔で１０個用意されていることから、３０ｃｍに及ぶアジャスト長さが形成される。すなわち、利用者の身長差を吸収するのに必要なアジャスト長さを上回り、下り勾配対応のためのアジャスト長となっている。従って、急な下り坂で利用する場合でも、利用者の歩行バランスを安全に支持することができる。また、平地に戻れば、即座に適当な長さにアジャストさせることが可能であり、更に、登り坂にあっては直ちに短い長さにアジャストさせることができる。
【先行技術文献】
【特許文献】
【０００４】
【特許文献１】特開２００４−３４４４５４号公報
【考案の概要】
【考案が解決しようとする課題】
【０００５】
特許文献１に開示された発明においては、急な下り坂において低身長の使用者が使用する場合、アジャスト長さが３０ｃｍ程度では長さ不足の可能性がある。従って、従来技術の課題であった転倒の危険性が、依然として解決されていないものと思われる。
【０００６】
本考案は、このような従来の事情に対処してなされたものであり、長さの調節可能なシャフトを容易な操作で追加又は取り外しすることによって伸縮範囲が拡大され、１本で使用者の身長差及び傾斜の勾配差に十分対応可能な、ウォーキング及びトレッキングに好適の伸縮ステッキを提供することを目的とする。
【課題を解決するための手段】
【０００７】
上記目的を達成するため、請求項１記載の考案に係る伸縮ステッキは、中空部とその上部に設けられる嵌合部とを備えるｎ（ｎ≧２；整数）段のシャフトと、１段目のシャフトの下方に設けられる石突きと、ｎ段目のシャフトの上方に設けられるグリップと、を有し、シャフトのうちｋ段目（２≦ｋ≦ｎ；整数）のシャフトには長手方向に沿って少なくとも１つの小孔が穿設されるとともに、シャフトのうち（ｋ−１）段目のシャフトにはｋ段目のシャフトの小孔に係合する出没可能な係合ピンが嵌合部に設けられ、（ｋ−１）段目のシャフトの係合ピンとｋ段目のシャフトの小孔が係合することで連結される伸縮ステッキであって、
（ｋ−１）段目とｋ段目の間に連結される介挿シャフトと、この介挿シャフトとｋ段目のシャフトを連結するための接続嵌合体とを有し、
介挿シャフトは下部に（ｋ−１）段目のシャフトの係合ピンに係合可能な少なくとも１つの第１の小孔と，上部に少なくとも１つの第２の小孔が穿設され、接続嵌合体は上部にｋ段目のシャフトに穿設された小孔と係合する第１の係合ピンと下部に介挿シャフトの上部に穿設された第２の小孔に係合する第２の係合ピンとを有することを特徴とする。
このような構造の伸縮ステッキにおいては、ｋ段目の下方に（ｋ−１）段目のシャフトが直列して連結される。そして、介挿シャフトは、（ｋ−１）段目とｋ段目の間に連結されることから、シャフト同士は直接連結される他に介挿シャフト及び接続嵌合体を介して連結されるという作用を有する。なお、介挿シャフトは接続嵌合体を収納可能な中空構造であり、接続嵌合体の有する第１及び第２の係合ピンはいずれもシャフトに設けられた出没可能な係合ピンと同一のものである。従って、接続嵌合体の第１及び第２の係合ピンが押さえられると、それぞれが没し、接続嵌合体がｋ段目のシャフトの中空部及び介挿シャフトの中空構造内を長手方向に沿って移動する。この移動の結果、接続嵌合体はｋ段目のシャフト又は介挿シャフトの内部から取り外される場合がある。
【０００８】
次に、シャフト同士が介挿シャフト及び接続嵌合体を介して連結される場合について説明する。接続嵌合体の第１及び第２の係合ピンが押さえられていない場合は、これらが突出した状態が維持されているので、それぞれｋ段目のシャフトの小孔及び介挿シャフトの第２の小孔に係合する。なお、シャフトの係合ピン及び接続嵌合体の第１及び第２の係合ピンはその内側に空間を有し、この空間にコイルバネ等の弾性体を備えることで出没可能な構造となっている。このような係合状態において、介挿シャフトの第１の小孔に（ｋ−１）段目のシャフトの係合ピンが係合すると、ｋ段目のシャフト、接続嵌合体、介挿シャフト及び（ｋ−１）段目のシャフトが連結され１本の伸縮ステッキとなる。
また、ｋ段目のシャフトには長手方向に沿って少なくとも１つの小孔が穿設されるとは、長手方向に沿って一定間隔を空けて複数の小孔が穿設されている場合があることを意味している。これは、第１及び第２の小孔も同様である。従って、それぞれ複数のｋ段目のシャフトの小孔、第１及び第２の小孔の位置を選択することで、ｋ段目のシャフト〜（ｋ−１）段目のシャフトの長さが調節され、伸縮ステッキの全長（石突き〜グリップ）の伸縮が微調整されるという作用を有する。なお、シャフト同士が直接連結される場合においては、当然に伸縮ステッキの全長は介挿シャフト及び接続嵌合体の長さ分が短縮されたものとなる。すなわち、接続嵌合体及び介挿シャフトの着脱により伸縮ステッキの全長が伸縮する。この伸縮は前述の微調整とは異なり、最大単位での伸縮である。具体的には、介挿シャフトの長さは例えば３０ｃｍ程度であり、接続嵌合体の長さは例えば２０ｃｍ程度である。
【０００９】
続いて、請求項２記載の考案は、請求項１記載の伸縮ステッキにおいて、少なくとも１つの（ｋ−１）段目のシャフトは、その外径がｋ段目のシャフトの内径よりも小さく形成され、少なくとも１つの（ｋ−１）段目のシャフトはｋ段目のシャフトに内挿されて収容されることを特徴とする。
このような構造の伸縮ステッキにおいては、請求項１に記載の考案の作用に加えて、（ｋ−１）段目のシャフトはｋ段目のシャフトに内挿され、さらに（ｋ−２）段目のシャフトは（ｋ−１）段目のシャフトに内挿される。そして、１段目のシャフトは２段目のシャフトに順次内挿されることから、最終的にはｋ段目のシャフトに（ｋ−１）段目〜１段目のシャフトが全て内挿されて収容されるという作用を有する。また、ｋ段目のシャフトに収容されるシャフトは、必ずしも（ｋ−１）段目以降の全てのシャフトでなくても良く、これ以外にもｋ段目のシャフトに（ｋ−１）段目のシャフトは収容されるが（ｋ−２）段目のシャフトは収容されない場合や、ｋ段目のシャフトに（ｋ−１）段目のシャフトは収容されないが（ｋ−２）段目のシャフトは収容される場合等、様々な収容の状態があっても良い。
ｋ段目のシャフトに（ｋ−１）段目以降の全てのシャフトが収容され、かつ介挿シャフト及び接続嵌合体が連結されない場合は、伸縮ステッキの全長が最も短縮している状態となり、その全長は例えば５０ｃｍ程度となる。一方、ｋ段目のシャフトに（ｋ−１）段目以降のシャフトが全く収容されていない場合の具体的な伸縮ステッキの全長は、例えば１００ｃｍ程度である。
次に、介挿シャフト及び接続嵌合体がｋ段目のシャフトに連結される場合であって、かつ介挿シャフトとｋ段目のシャフトの内径が等しい場合には、（ｋ−１）段目のシャフト〜１段目のシャフトが介挿シャフトの中空構造内に収容される。このとき伸縮ステッキの全長は例えば８０ｃｍである。あるいは、（ｋ−１）段目以降の全てのシャフトが介挿シャフトに収容されない場合、すなわち伸縮ステッキが最も伸展した状態における伸縮ステッキの全長は例えば１３０ｃｍ程度である。
この他、（ｋ−１）段目のシャフトに収容されるシャフトは、必ずしも（ｋ−２）段目以降の全てのシャフトでなくても良い。
【考案の効果】
【００１０】
以上説明したように、本考案の請求項１記載の伸縮ステッキによれば、シャフト同士は直接連結される他に介挿シャフト及び接続嵌合体を介して連結されることから、伸縮ステッキの全長を介挿シャフト及び接続嵌合体の着脱に応じて伸縮させることができる。具体的な介挿シャフト及び接続嵌合体の長さを考慮すれば、着脱により伸縮ステッキは最大３０ｃｍの範囲で伸縮することが可能である。このような伸縮範囲であれば、使用者の身長が低くかつ急な上り坂となっている場合、又は使用者の身長が高くかつ急な下り坂となっている場合のいずれであっても、使用者を確実に支持することが可能である。従って、転倒の危険性を著しく低下させることができるとともに、伸縮範囲の異なる２本のステッキを持ち歩くことが不要となる。なお、介挿シャフト及び接続嵌合体を連結しない場合は、これらは約５０ｃｍ程度の長さであるのでリュックサック等に収納可能であり、ほとんど負担なく持ち運ぶことが可能である。従って、請求項１記載の伸縮ステッキは、ウォーキング及びトレッキングといった屋外活動に好適である。
【００１１】
また、介挿シャフト及び接続嵌合体の連結は、介挿シャフトの第１の小孔に（ｋ−１）段目のシャフトの係合ピンを押して係合させるとともに、接続嵌合体の第１の係合ピンをｋ段目のシャフトの小孔に押して係合させるという簡単な操作で行うことができる。一方、これらを取り外す場合や接続嵌合体を移動させる場合は、同様に上記の係合ピンを押して小孔から外せば良い。このように介挿シャフト及び接続嵌合体の着脱は簡単な操作で可能であり、極めて容易である。従って、請求項１記載の伸縮ステッキは、特に高齢者の使用に最適である。
さらに、伸縮ステッキの全長のみならず、複数のｋ段目のシャフトの小孔、第１及び第２の小孔の位置を選択することで、伸縮ステッキ全長の伸縮が微調整されることから、使用者の身長差及び傾斜の勾配差に細かく対応することができ、利便性が高い。
【００１２】
本考案の請求項２記載の伸縮ステッキによれば、請求項１記載の考案の効果に加えて、ｋ段目のシャフトに（ｋ−１）段目以降のシャフトが収容されるか否か、及び介挿シャフト及び接続嵌合体が連結されるか否か、といった組み合わせを選択することができる。従って、組み合わせにより、伸縮ステッキの伸縮範囲を例えば５０ｃｍ〜１３０ｃｍの範囲に大きく拡大させることができる。しかも、ｋ段目のシャフトに収容されるシャフトは必ずしも（ｋ−１）段目以降の全てのシャフトでなくても良いことから、収容されるシャフトを選択することにより、上記の伸縮範囲を適宜調整可能である。
【図面の簡単な説明】
【００１３】
【図１】（ａ）及び（ｂ）は、それぞれ実施例１に係る伸縮ステッキを構成する介挿シャフト及び接続嵌合体の外観図である。
【図２】は、実施例１に係る伸縮ステッキを構成するシャフトの外観図である。
【図３】（ａ）乃至（ｄ）は、それぞれ実施例１に係る伸縮ステッキの伸縮状態が異なる場合における使用状態図である。
【考案を実施するための形態】
【実施例１】
【００１４】
本考案の実施の形態に係る実施例１の伸縮ステッキについて、図１乃至図３を用いて詳細に説明する。なお、図１で示した構成要素については、図２及び図３においても同一の符号を付して、その説明を省略する。
図１（ａ）及び（ｂ）は、それぞれ実施例１に係る伸縮ステッキを構成する介挿シャフト及び接続嵌合体の外観図である。
【００１５】
図１（ａ）及び図１（ｂ）に示すように、本実施例の伸縮ステッキは、両端部の外周にカバー６ａ，６ｂが取り付けられた筒状の中空部３を有する介挿シャフト２と、カバー６ａ側から中空部３の内部に挿入される筒状の接続嵌合体８と、を備える。中空部３には、第１の小孔４と、およそ５ｃｍ間隔をもって４個の第２の小孔５ａ〜５ｄと、が穿通される。これら第１の小孔４，第２の小孔５ａ〜５ｄはいずれも同径であり、介挿シャフト２及び接続嵌合体８の長さはそれぞれ３０ｃｍ及び２０ｃｍである。また、介挿シャフト２の内径と接続嵌合体８の外径は略同等であって、１．５ｃｍ程度である。そのため、図１（ｂ）に示すように、接続嵌合体８は介挿シャフト２に挿入される構造であり、このとき全長（図中Ｌ）はおよそ４０ｃｍの長さとなる。加えて中空部３の表面には、第１の小孔４と４個の第２の小孔５ａ〜５ｄを結ぶ直線状のガイド線７が描かれている。なお、中空部３の材質はアルミニウム等の金属であり、カバー６ａ，６ｂの材質は硬質プラスチックである。
さらに、接続嵌合体８は、両端にストッパー１１ａ，１１ｂを備え、これらの付近にそれぞれ第１の係合ピン９及び第２の係合ピン１０を備える。第１の係合ピン９は、後述する４段目のシャフト２４の小孔１７ａ〜１７ｃ（図３参照）と同径であって、これらのうちのいずれかに係合される。また、第２の係合ピン１０は、中空部３における第２の小孔５ａ〜５ｄと同径であって、これらのうちのいずれかに係合される。この係合は、第１の係合ピン９及び第２の係合ピン１０がその内側の空間にコイルバネを有し、これらが押さえられない場合にはコイルバネの伸展により突出する構造による。なお、ストッパー１１ａ，１１ｂの材質は硬質プラスチックである。
【００１６】
次に、介挿シャフト及び接続嵌合体が連結されるシャフトについて、図２を用いて詳細に説明する。
図２は、実施例１に係る伸縮ステッキを構成するシャフトの外観図である。
図２に示すように、シャフト１２は、嵌合部１３と、嵌合部１３に連なる筒状の中空部１６と、中空部１６の下端周面を被覆するカバー１８と、から構成される。嵌合部１３とは、中空部１６の上端付近であって、係合ピン１４と、ストッパー１５と、が備えられた部分である。このストッパー１５は、上端１５ａ及び下端１５ｂを有する略円筒形状を成している。係合ピン１４はストッパー１５の下端１５ｂ付近に内蔵され、ストッパー１５の側壁及び中空部１６の側壁を貫通して中空部１６の表面に突出する。さらに、中空部１６の下方には第１の小孔４及び第２の小孔５ａ〜５ｄと同径の小孔１７ａ〜１７ｃが穿通される。なお、係合ピン１４は第１の係合ピン９及び第２の係合ピン１０と同一の構造であり、小孔１７ａ〜１７ｃと同径である。そして、シャフト１２の長さはおよそ３０ｃｍである。加えて中空部１６の表面には、係合ピン１４と小孔１７ａ〜１７ｃを結ぶ直線状のガイド線１９が描かれている。また、中空部１６及びストッパー１５の材質は、それぞれ中空部３及びストッパー１１ａ，１１ｂと同一である。
【００１７】
次に、伸縮ステッキ１について、図３を用いて詳細に説明する。
図３（ａ）乃至図３（ｄ）は、それぞれ実施例１に係る伸縮ステッキの伸縮状態が異なる場合における使用状態図である。
図３（ａ）及び図３（ｂ）では、伸縮ステッキ１は、４本の同等の長さを有するシャフト２１〜２４が直列に連結されており、すなわち、特許請求の範囲に記載されるｎが４の場合であり、４段のシャフト２１〜２４からなっている。このうち、１段目のシャフト２１の下端には石突き２０が取り付けられ、４段目のシャフト２４の上端にはグリップ２５が取り付けられる。１段目のシャフト２１の外径は２段目のシャフト２２の内径と比較してやや小さく、２段目のシャフト２２の外径は３段目のシャフト２３の内径と比較してやや小さい。さらに、３段目のシャフト２３の外径は４段目のシャフト２４の内径と比較してやや小さい。すなわち、シャフト２１〜２４では、径の小さいシャフトの上端が隣接する径のより大きいシャフトの下端へ挿入されて互いに連結される構造である。また、シャフト２２〜２４には、およそ５ｃｍ間隔をもって３個の小孔１７ａ〜１７ｃが穿通される。なお、シャフト２１〜２４は、径、石突き２０及びグリップ２５以外は、いずれもシャフト１２と略同等の構造を成すものである。
【００１８】
図３（ａ）に示すように、小孔１７ａへそれぞれ係合ピン１４が係合されシャフト２１〜２４が互いに連結・固定されている。このとき、それぞれの中空部１６へ挿入されるシャフト２１〜２４の長さはいずれも最小となっている。よって、伸縮ステッキ１の全長（石突き２０〜グリップ２５）はシャフト２１〜２４を連結した状態における最長の値となっている。具体的な長さＬ１〜Ｌ４は、それぞれ２５ｃｍ、２０ｃｍ、２０ｃｍ及び３０ｃｍであり、全長（Ｌ１＋Ｌ２＋Ｌ３＋Ｌ４）はおよそ９５ｃｍである。
図３（ｂ）に示すように、４段目のシャフト２４の中空部１６へシャフト２１〜２３が収容され、同時に４段目のシャフト２４の小孔１７ｃへ３段目のシャフト２３の係合ピン１４が係合されている。このとき、２段目のシャフト２２及び３段目のシャフト２３の中空部１６，１６（図２参照）には、それぞれ１段目のシャフト２１及び２段目のシャフト２２が収容されている。これは、伸縮ステッキ１の全長が最短となった状態を示したものであって、具体的には、長さＬ５は２０ｃｍであり、その全長（Ｌ５＋Ｌ４）はおよそ５０ｃｍである。なお、シャフト２１，２２におけるストッパー１５の上端１５ａ，１５ａ（図２参照）は、それぞれシャフト２２，２３におけるストッパー１５の下端１５ｂ，１５ｂ（図２参照）に当接し、シャフト２１，２２がこれら下端１５ｂ，１５ｂを越えて深く挿入されることを防止する構造となっている。
また、図３（ａ）から図３（ｂ）の状態へと伸縮ステッキ１を短縮させるには、各係合ピン１４を押さえて小孔１７ａからそれぞれずらすと同時にシャフト２１〜２３を順次押し込むことで行われる。また、その逆の伸縮ステッキ１の全長を伸展させる場合では、各係合ピン１４を押さえた後シャフト２１〜２３を引き出すことで行われる。
【００１９】
図３（ｃ）及び図３（ｄ）では、伸縮ステッキ１は、シャフト２１〜２３に加え、介挿シャフト２が３段目のシャフト２３に連結されている。さらに、介挿シャフト２には接続嵌合体８を介して４段目のシャフト２４が連結されている。すなわち、特許請求の範囲に記載されるｋが４の場合である。
介挿シャフト２と４段目のシャフト２４の連結は、介挿シャフト２と４段目のシャフト２４の外径及び内径がいずれも略同等であり、接続嵌合体８の外径は介挿シャフト２及び４段目のシャフト２４の内径と略同等であることによる。このとき、４段目のシャフト２４の小孔１７ｂに接続嵌合体８の第１の係合ピン９が係合されるとともに、介挿シャフト２の第２の小孔５ｄに第２の係合ピン１０が係合されてこれらが連結・固定されている。なお、シャフト２４の小孔１７ｂに第１の係合ピン９を係合した理由は、シャフト２４と接続嵌合体８の重なり代を長くすることで、伸縮ステッキ１の強度と安定性をより確保するためである。
そして、図３（ｃ）では、介挿シャフト２の第１の小孔４に３段目のシャフト２３の係合ピン１４が係合されて介挿シャフト２と３段目のシャフト２３が連結・固定されている。続いて３段目のシャフト２３〜１段目のシャフト２１では、それぞれの小孔１７ａへ各係合ピン１４が係合されている。
【００２０】
図３（ｃ）に示すように、介挿シャフト２の中空部３及びシャフト２３，２２の中空部１６，１６へそれぞれ挿入されるシャフト２３〜２１の長さはいずれも最小である。よって、伸縮ステッキ１の全長は介挿シャフト２、接続嵌合体８及びシャフト２１〜２４を連結した状態における最長の値となっている。具体的には、長さＬ６は３０ｃｍであり、その全長（Ｌ１＋Ｌ２＋Ｌ３＋Ｌ６＋Ｌ４）はおよそ１２５ｃｍである。
図３（ｄ）に示すように、４段目のシャフト２４と介挿シャフト２との連結では、小孔１７ｂ及び第２の小孔５ｄへそれぞれへ第１の係合ピン９及び第２の係合ピン１０が係合されている。さらに、介挿シャフト２と３段目のシャフト２３では、第２の小孔５ｃへシャフト２３の係合ピン１４が係合されて、中空部３へシャフト２３が収容されている。また、シャフト２３の中空部１６には、シャフト２２，２１が挿入され収容されている。この場合、伸縮ステッキ１の全長（Ｌ５＋Ｌ６＋Ｌ４）はおよそ８０ｃｍである。
なお、図３（ｃ）から図３（ｄ）の状態へ、またその逆の状態へと変化させる場合の操作は、図３（ａ）及び図３（ｂ）の場合と同様である。
【００２１】
上記のような構造の伸縮ステッキ１においては、介挿シャフト２及び接続嵌合体８を備えない場合には、４段目のシャフト２４へ３段目のシャフト２３が直接連結される。一方、これらを備えようとする場合には、介挿シャフト２と４段目のシャフト２４の外径及び内径がいずれも略同等であることから、３段目のシャフト２３は介挿シャフト２に連結される。すなわち、介挿シャフト２及び接続嵌合体８が自在に連結または取り外されることにより、伸縮ステッキ１は伸縮するという作用を有する。なお、介挿シャフト２の連結・取り外しによる伸縮ステッキ１の伸縮範囲はおよそ３０ｃｍである。
加えて、接続嵌合体８の外径は介挿シャフト２の内径又は４段目のシャフト２４の内径と略同等であるため、接続嵌合体８は、介挿シャフト２及び４段目のシャフト２４のそれぞれの中空部３，１６を長手方向に沿って摺動する。また、接続嵌合体８の第１の係合ピン９が４段目のシャフト２４の小孔１７ａ〜１７ｃのいずれかに係合され、第２の係合ピン１０が介挿シャフト２の第２の小孔５ａ〜５ｄのいずれかに係合された場合では、接続嵌合体８の摺動は妨げられて介挿シャフト２、接続嵌合体８及び４段目のシャフト２４が連結・固定される。すなわち、介挿シャフト２から４段目のシャフト２４までの長さは、これらの小孔が選択された位置に依存し、微調整される。なお、第２の小孔５ａ〜５ｄ及び小孔７ａ〜７ｃはおよそ５ｃｍ間隔で設けられているため、この微調整はおよそ５ｃｍ間隔で行われる。
【００２２】
さらに、シャフト２１〜２３同士においては、３段目のシャフト２３に収容されるシャフトがシャフト２１，２２である他、２段目のシャフト２２のみである場合や、３段目のシャフト２３へシャフト２１，２２が収容されずに２段目のシャフト２２に１段目のシャフト２１が収容される場合がある。さらに、介挿シャフト２及び接続嵌合体８が４段目のシャフト２４に連結される場合においては、介挿シャフト２に収容されるシャフト２１〜２３の状態によって伸縮ステッキ１の全長が変化する。すなわち、伸縮ステッキ１は、介挿シャフト２及び接続嵌合体８、シャフト２１〜２３の連結や収容の状態により、その全長が様々に変化するという作用を有する。
【００２３】
本実施例の伸縮ステッキ１によれば、図３（ａ）及び図３（ｃ）の場合では、小孔１７ａ，１７ｂ，５ｄに対し係合ピン１４，９，１０がそれぞれ適する位置に係合されてシャフト２１〜２４が連結・固定されるため、確実に使用者を支持することができる。また、図３（ｂ）及び図３（ｄ）の場合では、小孔１７ｃ，１７ｂ，５ｄに対し係合ピン１４，９，１０がそれぞれ適する位置に係合されるとともに、シャフト２１，２２がそれぞれシャフト２２，２３における下端１５ｂ，１５ｂに当接することから、同様に確実な使用者の支持が可能であり、使用者の転倒の危険性を著しく低下させることができる。これらのことから、伸縮ステッキ１は、いずれの伸縮の状態であっても、使用者の安全性を確保することが可能である。
【００２４】
また、介挿シャフト２及び接続嵌合体８は自在に着脱可能であるので、伸縮ステッキ１の伸縮は容易である。従って、伸縮範囲の異なる２本のステッキを持ち歩くことが不要であることから、伸縮ステッキ１はウォーキング及びトレッキングを同時に行う場合に特に利便性が高い。しかも、全長がおよそ３０ｃｍの介挿シャフト２の連結・取り外しをすることで、この長さの伸縮を一気に行うことが可能であり、地面の急な勾配の変化にも迅速に対応することができる。この長さに加え、介挿シャフト２は中空部３を備えて軽量である。よって、介挿シャフト２及び接続嵌合体８を連結しない際には、他の荷物とともに持ち運び容易であることから、これを原因とする疲労を防止することができる。
さらに、図３（ｂ）と図３（ｃ）を比較すれば、伸縮ステッキ１は約７５ｃｍもの大きな伸縮範囲を有する。従って、伸縮ステッキ１は、１本で使用者の身長差及び傾斜の勾配差に十分対応可能である。
【００２５】
次に、図３（ｃ）及び図３（ｄ）において、介挿シャフト２から４段目のシャフト２４までの長さはおよそ５ｃｍ間隔で変化することから、伸縮ステッキ１の全長を微調整しながら伸縮させることが可能である。
さらに、上記のような伸縮や介挿シャフト２及び接続嵌合体８の着脱は係合ピンを押すことにより行うことができ、複雑な操作が不要である。従って、伸縮ステッキ１は、高齢者の使用に最適である他、手袋を着用した際にもストレスなく使用することができる。
【００２６】
なお、本考案の伸縮ステッキは本実施例に示す構造に限定されない。例えば、介挿シャフト２及び接続嵌合体８、シャフト２１〜２４の長さや径は前述したサイズに限定されない。さらに、連結されるシャフトの本数は合計４本以外であっても良く、介挿シャフト２及び接続嵌合体８が連結される位置は３段目のシャフト２３と４段目のシャフト２４との間に限られない。また、小孔１７ａ〜１７ｃ及び第２の小孔５ａ〜５ｄの個数は、それぞれ３個及び４個でなくても良く、その間隔も５ｃｍ以外であっても良い。この他、係合ピン９，１０が係合する小孔１７ａ〜１７ｃ及び第２の小孔５ａ〜５ｄの位置は、図３で図示したものに限られない。
【産業上の利用可能性】
【００２７】
請求項１及び請求項２に記載された考案は、ウォーキング用及びトレッキング用を兼用した伸縮ステッキとして適用可能である。
【符号の説明】
【００２８】
１…伸縮ステッキ  ２…介挿シャフト  ３，１６…中空部  ４…第１の小孔  ５ａ〜５ｄ…第２の小孔  ６ａ，６ｂ，１８…カバー  ７，１９…ガイド線  ８…接続嵌合体  ９…第１の係合ピン  １０…第２の係合ピン  １１ａ，１１ｂ，１５…ストッパー  １２…シャフト  １３…嵌合部  １４…係合ピン  １５ａ…上端  １５ｂ…下端  １７ａ〜１７ｃ…小孔  ２０…石突き  ２１…１段目のシャフト  ２２…２段目のシャフト  ２３…３段目のシャフト  ２４…４段目のシャフト  ２５…グリップ
【図１】
0003185265.tif 000003
【図２】
0003185265.tif 000004
【図３】
0003185265.tif 000005